(57)【要約】      （修正有）【課題】建築物を顧客や消費者に分かり易く伝えることができるパース画を提供する。【解決手段】顧客や消費者など見る側の視点を把え、建築物の内容そのものに視覚誘導できる補強ライン３４，３６，４８を付加的に書き加え、かつ補強ラインで囲まれた仮想の居住空間によって鳥瞰図で狭く見えてしまう居住空間を補正するようにした。【選択図】図１
2007025614.tif 000002
【特許請求の範囲】
【請求項１】
建築の広告宣伝用の３Ｄ（三次元）画像で作るパース画に於いて、該建築物を住戸内鳥瞰図で描き、該建築物の構成内容に視覚誘導する補強ラインを書き加えたことを特徴とする広告宣伝用のパース画。
【請求項２】
前記補強ラインは、前記住戸内鳥瞰図の鳥瞰視点側の白地画面との境界ラインとして描いたことを特徴とする請求項１に示した広告宣伝用のパース画。
【請求項３】
前記補強ラインは、前記住戸内鳥瞰図の鳥瞰視点と相対する側の白地画面との境界ラインとして描いたことを特徴とする請求項１に示した広告宣伝用のパース画。
【請求項４】
建築物の広告宣伝用の３Ｄ（三次元）画像で作るパース画に於いて、該建築物がマンション等の複数の住戸を含む建築物であり、該建築物を住戸内鳥瞰図で描き、かつ、該建築物の構造を支える柱の断面形状部分は、輪郭部分をぼかして表現し、該建築物の構成内容に視覚誘導するようにしたことを特徴とする広告宣伝用のパース画。
【請求項５】
前記パース画は、印刷物やインターネット画像やＴＶ画像やＤＶＤ画像などの視覚的広告媒体によって、表現したいことを特徴とする請求項１及び請求項４に示した広告宣伝用パース画。
【発明の詳細な説明】
【技術分野】
【０００１】  本発明は、建築物の広告宣伝用の３Ｄ（三次元）画像で作るパース画と印刷物やＴＶ画像などの視覚的広告媒体に関する。
【背景技術】
【０００２】  マンションや戸建住宅などの建築物の広告宣伝用のパース画は、チラシや新聞、雑誌などの印刷物やインターネット、テレビなどの映像、そして看板広告などの様々な広告媒体に用いられる。通常は２Ｄ（二次元）の設計図をベースにした３Ｄ（三次元）画像を用い、販売する建築物をこれらの広告媒体に表現し広告する。【０００３】  広告の定義について諸説あるが、たとえば、１９３２年にアメリカのアドバタイジング・エイジ誌が定義を懸賞募集したところ、優秀賞の１つに「広告とは、広告する者が販売・利用・投票・承認などを有利にするため、自分の費用で、人、商品、サービスまたは運動についてを印刷したもの、書かれたもの、描かれたものである。」という内容がある。短くまとめると「広告主が、自分の費用で広告主に有利となる情報を複数の人々に伝える。」と定義できるとある。（「ＢＳＳデザイン講座  コマーシャル・デザイン」監修：河野鷹男，株式会社  美術出版社より）【０００４】  この広告の種類として、商品広告、企業広告、催事広告、流通広告、制度広告、公共広告など、多種類にわたるが、本願では、住宅建築物という商品の、商品広告を対象とした広告宣伝用のパース画に関する。【０００５】  商品販売の対象とされるこれらの建築物は、企画・設計・施行過程でその商品の特性・魅力・新規性・利便性・経済性などを考えて、顧客を満足し得るものとして作られる。従って、広告宣伝に於いては、その事実をどう顧客である消費者に伝えていくかが問題となった。【０００６】  そうした中で、これまでも以下のようないくつかの試みが行われている。  ［特許文献１］  特開２０００−１４９０４９  ［特許文献２］  特開２００３−１１４６１０  ［特許文献３］  特開２００３−２９５７５５【０００７】  「特許文献１」の名称は「建築意匠シミュレーション装置及び記録媒体」であり、これは、マンションなどの建築物の場合、作られるモデルルームはせいぜい１つであり、実際に作成される幾つかの種類のルームごとにモデルルームは作られない。そこで、マンションの内部や外部の複数の視点から、三次元画像で表現された各ルームを見ることができるようにしたものである。平面図で見たときにはモデルルームを参考にし、そのほかの種類のルームは、想像力で補いながら推測するしかないが、その点をカバーする特許提案である。【０００８】  「特許文献２」の名称は「建築物模型の製造方法及び製造装置」であり、建築物の設計データに基づき、模型用の部品をＮＣ制御装置を使って加工し、それを組み立て、建築主や顧客への建築物の説明に使い、建築主の希望条件を引き出したり、消費者への商品説明に使うというものである。【０００９】  「特許文献３」の名称は「建築物型製作システム、そのシステムのサーバ装置、及び建築物模型製作プログラム」である。これは建築物を計画している顧客に対し、説明するための模型についての特許であり、それを合理的に製作するための提案特許である。【００１０】  このように建築物は、専門家にとっては二次元の設計図を見ればその建築物がどのような特徴を持った建物であるかを即座に判断できるが、顧客にとってはそのようなことは不可能であり、顧客の要望を聞きながら設計変更を進め��り、計画し、既に建築した建物を説明するためには三次元画像や模型を使って建築物を表現する上述したような方法がとられて来た。【００１１】  本願出願人は、先に特願２００４−１３０５０８に於いて、こうした考え方の延長上に広告宣伝用のパース画について特許出願した。建築物を二次元設計データを基に、三次元画像で現すに当たって、鳥瞰図法が全体概要を把握するに当たって、よりよい方法である。例えば、一つの鳥瞰図で住戸内の建築物の内容をすべて伝達できるからである。その場合、壁や障子や襖などの空間仕切り部材に隠された部屋が視覚的に遮蔽され、特に狭い部屋は、その様子が全く分からなくなるという欠点があった。そこで、この出願でこうした空間仕切り部材を半透明にし、その空間仕切り部材の質感を残しながら、なおかつ従来の鳥瞰図法では見えなかった空間仕切り部材の向こう側の部屋の空間が見えるようにした、いわばバーチャル（仮想的）に空間仕切り部材を表現し、本来見えないものをバーチャルに見えるようにした。このようにして、より建築物を事実に近似して見えるようにしたものである。
【発明の開示】
【発明が解決しようとする課題】
【００１２】  実物としての建築物と、それを三次元画像などを使って表現したパース画との間では、実物と表現物との間の埋められない差がある。この表現物が広告宣伝用のものであるとき、どんな顧客にも分かりやすく、その実物に近い形で表現するというのが課題であるが、本出願人は先の出願で、実物とは異なった方法で描くことによって、逆に建築物の実物把握を誰もが出来るようにした。【００１３】  図５はこのようにして描いたパース画の例である。この図で空間仕切り部材としての境界壁（２）、外壁（４）、仕切戸（６，８）、襖（１０，１２）などは、本来は不透明であり、これらの空間仕切り部材を通して向こう側の空間は見えない。しかし、ここではいずれも半透明にしているため、その空間仕切り部材の向こう側の部屋の様子がその半透明部分を透かしてみることができている。しかしながら、境界壁（２）で覆われている部分は半透明にし、透かしてみることができても、実物を遮蔽物なしに見るのとは異なる。見えにくい部分は、直接見えたときの様子を想像することになる。どうしても想像力で補完し、その境界壁（２）によって隠される事になる各部屋（１４，１６，１８）の大きさを想定する事になる。外壁（４）によって隠されるベランダ（２０）についても同様である。そのため、どうしてもこうした部屋（１４，１６，１８）やベランダ（２０）は狭く見えてしまう。【００１４】  そこで本願では、住戸内鳥瞰図などの方法で、建築物を書きあらわすに当たって、半透明手法を用いた場合でさえ、どうしても実際よりは狭く見えてしまう。広告宣伝としては有利ではなく、不利にしか訴えられない。この点について、事実に近い形で表現するようにし、広告主にとって、有利にしようとしたものである。【００１５】  また、図５のパース画に於いて四つの角にはマンションの構造を支える柱（２４，２６，２８，３０）が存在している。この鳥瞰図を見た時、この四角の柱は、大きなウェートを持っているが、住まいの空間としてみたとき、これは壁の一部分でしかない。住戸の居住部分がどのようになっているかの内容とは、余り関係がない。逆に大きな柱は見る側の視点を引きつけ、建築物の内容を吟味するのに邪魔となる。【００１６】  そこで本願では、こうした点を考え、建築物の広告宣伝用の３Ｄ画像で作るパース画に於いて、建築物の実像を最も視覚的に伝える住戸内鳥瞰図法で描いた上で、なお、誰もが視覚的に実像に近似して建築物の内容を把握できるようにする点が課題である。
【課題を解決するための手段】
【００１７】  そこで本願では、デザイン技法に於けるアイキャッチャーと視覚誘導の方法を応用し、課題解決のための手段とした。このアイキャッチャーと視覚誘導については「デザインのレイアウトに於いても美的配置という考えは同じだが、目的とするところは、如何に無駄なく構成要素のすべてを見せるか、読ませるかにある」「この無駄なく構成要素を見せるために、最初に眼につくものを何にするか考える。この最初に眼に飛び込んで来る要素をアイキャッチャーと専門用語で呼び、アイキャッチャーによって捉えられた視線が次々と他の構成要素へ引きずられていく動きを視覚の誘導と呼んでいる」（「デザイン・用具と技法」：上口陸人著；（株）ダヴィット社）【００１８】  そこで本願では、３Ｄ（三次元）画像の鳥瞰図によって描かれた建築物の鳥瞰視点側の２辺に補強ラインを書き加える事にした。図５で言えば、この２辺とは境界壁（２）の下のライン（３０）と、外壁（４）の下ライン（３２）になる。ここに太く濃い補強ラインを書き加えれば、このパース画を見るものにとって、その太く濃いラインにまず視点が捉えられる。そして、その補強ラインは、一方は白い地の色であり、他方は建築物の内容を示す鳥瞰図であるため、自然と建築物の内容へと視覚誘導されて行く。【００１９】  また、この２辺のライン（３０）とライン（３２）で囲まれるエリアは、仮に居住エリアとして示される事になるが、このラインは、実は実際の居住ラインを示してはいない。実際の居住エリアよりも広く居住エリアを示す事になっているが、鳥瞰図法ではどうしても狭くしか見る事ができない各部屋（１４，１６，１８）などの狭さを補正する意味も持たせている。【００２０】  マンションなどの四角の柱部分については、その柱の形状がはっきり描かれれば、そこに視点が誘導され、結果として、全体の広さや建築物の内容そのものの判断を誤ってしまう事になるため、この柱の形状を示す輪郭線やその周辺部はぼかして書き、見るものの視点がそこに集中しないようにした。
【発明の効果】
【００２１】  建築物の広告宣伝に当たり、建築物の内容をいかに実像に近く、顧客や消費者に伝える事ができるかが大きな課題である。コンピュータによって通常の２Ｄ（二次元）の設計図面をベースにして、３Ｄ（三次元）画像を作る事が可能になり、鳥瞰図法で描けば１枚のパース画によって建築物の内容を実像に近く伝える事が可能となった。このようにして描いた住戸内鳥瞰図ではあるが、顧客や消費者など見る側の想像力によって補わないと実像より狭く見えてしまった。これは広告宣伝としては致命的な欠点であったが、本願による補強ラインの付加によって、この想像力を後押しし、実像に近似して見える事を可能とした。【００２２】  具体的には、鳥瞰図法の場合、鳥瞰視点の側の外壁や境界壁の影になる部分は、居住スペースとしての視点が遮られるため、そこにスペースがある事が分かっていても、その点を直接見たときのスペースとして想像力で補うしかない。そこで、これらの外壁や境界壁の白紙画面との境に補強ラインを太く濃く付加する事によって、その点に意識集中し、想像力を助ける事ができるようになる。【００２３】  また、鳥瞰視点の向こう側の境界壁などのこれまた白紙画面との間に補強ラインを引く事により、鳥瞰視点側の補強ラインとこの補強ラインに囲まれた部分に、顧客や消費者など見る者の意識を集中させ、そこに描かれた建築物の内容を雑念なく見る事ができるようにする。さらに、その囲まれたエリアは居住空間の床の広さよりは広いため、囲まれたエリアは仮想の居住空間として、鳥瞰図法では居住空間が狭く見えてしまうという欠点を補正する効果がある。【００２４】  住戸内鳥瞰図の場合、マンションなどでは構造物としての柱は大きく、また欠かせないが、これをそのまま描く事によってその柱に視覚が捉えられてしまい、大きな構造物に囲まれた狭い居住空間という印象を見る側が持ってしまう。そこで本願のように、こうした柱の外形形状を外形の輪部線をぼかして書く事により、柱に視点が誘導されないようにし、建築物の内容に視覚誘導されるようにした。このことによっても、建築物の実像を実像として伝えられる事を可能とした。本願出願人が先に出願した空間仕切り部材を半透明に描く手法を組み合わせ、いろいろ家具などの調度品を実際に近い形で三次元的に配置する本願パース画は、このように建築物が持つ特徴を余すところなく顧客や消費者に伝達可能となり、広告主に有利に広告内容を広く伝えるという広告の使命を果たす事ができる。
【発明を実施するための最良の形態】
【００２５】  図１は本発明による広告宣伝用の３Ｄ（三次元）画像で作るパース画の実施例図である。この図は、図５のパース画をベースにし、補強ラインを付加したり、ぼかしを入れたりしたものであり、図５と同一番号は同一内容を示している。（３４）は境界壁（２）の下のラインで太く濃く描いた補強ラインである。（３６）は外壁（４）の下のラインで、これも太く濃く描いた補強ラインである。いずれも白紙画面との境界に濃く描くために黒や濃紺などの低明度の色を使った。【００２６】  （３８）（４０）（４２）（４４）は四角の柱で、それぞれ図５の（２２）（２４）（２６）（２８）の柱に対応している。図５では柱の外形が分かるように輪部線をはっきりと描いているが、ここでは、この輪部線をぼかし、柱の外形形状が分からないようにしている。【００２７】  （４６）は鳥瞰図の視点側ではなく、視点の向こう側のもう一方の境界壁であり、ここでは、この境界壁（４６）の外側に白紙画面との補強ライン（４８）を付加している。【００２８】  図２も、本発明による広告宣伝用パース画の一実施例であり、この図も図５のパース画をベースにし、ここでは、鳥瞰図の視点側の境界壁（２）への補強ライン（３４）と外壁（４）への補強ライン（３６）のみを描いた事例である。【００２９】  図３も本発明による広宣伝用の３Ｄ画像で作るパース画の一実施例であり、この図も図５のパース画をベースにし、建築物の四角の柱（３８）柱（４０）柱（４２）柱（４４）の外形の輪部線をぼかして描いている。【００３０】  図４も本発明による広告宣伝用の３Ｄ画像で作るパース画の一実施例である。この図も図５のパース画をベースにし、境界壁（４６）に補強ライン（４８）を付加的に描いたものである。【００３１】  要するに、図５をベースにし、ここに描かれている３Ｄ画像で描かれた建築物の内容をよりよく把握できるようにするために、鳥瞰図の視点側の境界壁（２）と外壁（４）に、それぞれ補強ライン（３４）と補強ライン（３６）を付加したのが第２図であり、四角の柱の外形の輪部線をぼかしたものが第３図であり、鳥瞰図の視点の向こう側の境界壁（４６）に補強ライン（４８）を付加したものが第４図であり、これらすべての処理を行ったのが第１図である。【００３２】  広告宣伝は、先に定義で示したように「広告主が自分の費用で広告主に有利となる情報を複数の人々に伝える」ことである。もちろん、この有利となるという点について狭義に解釈することはない。有利になるように誇大宣伝すればよいということではなく、その特徴や従来の商品と違っている点などを、実像に近似して伝えて行くということである。建築物の広告宣伝の場合は、いかにこの建築物の実像を顧客・消費者に伝えていくかが課題となる。一つの建築物については、より詳しく知るためには３Ｄ画像で描き、かついくつかの視点から様々に描いて行くことが必要ではあるが、しかし、顧客・消費者は専門家ではない。一つの建築物をいくつものパース画で表現していけばその他の建築物の物件と比較し、該当物件がどのようなっているのか判断するのは却って難しくなる。簡略な形で把握できるパース画がよい。【００３３】  しかし、最も簡略な方法である二次元の平面図では、その図から出来上がった建築物の内容を推定するのはかなりの専門知識と想像力が必要となる。その意味で、コンピュータ・グラフィックスを使った３Ｄ（三次元）で建築物全体の内容が見渡せる鳥瞰図は、建築物の実像を伝えるのによりよい方法である。【００３４】  しかし、この鳥瞰図の方法でも、壁や障子、襖などの空間仕切り部材の向こう側の空間が狭く見えてしまうという欠点があり、本願出願人が特願２００４−１３０５０８でその点を解消するために、これら空間仕切り部材を半透明という形でバーチャルに描き、向こう側の空間部を見せる事により、より実像に近似して建築物を見せる提案を行った。【００３５】  図５が、このようにして描いたパース画であるが、発明が解決しようとする課題でも示したように、このように描いた図でも、▲１▼鳥瞰図の視点側にある境界壁（２）や外壁（４）の向こう側にある空間部分は、それぞれ半透明の境界壁（２）や外壁（４）を通して見た場合でも、直接見たときよりは見えずらく、見る側の想像力で補いながら、その広さを確認するというハンディを持ってしまう。たとえば反対側の境界壁（４６）の壁際のそれぞれの空間部分は、床と壁との境界線まで見えて、部屋の広さが一瞬のうちに確認できる。従って、このハンディは明らかである。【００３６】  また、▲２▼四つの角に描かれている柱は、他の部分と同様にその外形の輪部線を描き、柱（２２）柱（２４）柱（２６）柱（２８）の存在感は大きく、そこに部屋の印象を捉えてしまうと、部屋が狭く見える事になる。【００３７】  そこで、広告宣伝用の３Ｄ画像でかつ鳥瞰図法で描いたパース画として、こうした従来のものが持っている問題を解決したのが、図１から図４に示す本発明によるパース画である。【００３８】  図２は、境界壁（２）と外壁（４）と図面上の白紙画面との境界の位置に、図面上のほかのラインより、太く濃い補強ライン（３４）及び補強ライン（３６）を付加的に描いている。その為、顧客や消費者がこのパース画を見た時、目はこのラインに惹きつけられ、この補強ライン（３４）（３６）は視点が最初に捉えられアイキャッチャーの位置を占める。ここに視点が行ったとき、この補強ライン（３４）（３６）を境にして、片方は白紙が面であるため、もう片方は建築物の内部として顧客や消費者は認識し、自然に建築物の内部に意識集中する視覚誘導が生じる。この点は、実際に２０人の人に視認実験した実験結果を図９のように示す。【００３９】  また、この補強ライン（３４）と補強ライン（３６）とで挟まれる空間が居住域として、仮に示す事になる。実際の居住空間は、床（５０）やベランダ（２０）の水平ラインとそれぞれの境界壁（２）や、外壁（４）の内側とが接した位置が居住空間の端部となるが、この錯覚を利用し、先に示したそのままでは狭く見えてしまうというハンディを補正する働きも持っている。【００４０】  図４の境界壁（４６）に対して、白紙画面との間に付加した補強ライン（４８）の場合も補強ライン（４８）は、この広告宣伝用のパース画を見る顧客や消費者の視点はこの点にまず捉えられる。片方が白紙のため、視点は図がかかれたほうに視覚誘導される。これを、図２の補強ライン（３４）、及び補強ライン（３６）とを組���合わせると、図１で見るようにこれらの補強ライン（４８）、補強ライン（３４）、補強ライン（３６）に囲まれた部分に意識集中が起こり、さらに建築物の内部に視覚誘導が生じる。【００４１】  それと同時に、これら補強ラインに囲まれたエリアを生活・居住空間として錯覚させ、先に示した鳥瞰図のハンディを補い、顧客や消費者が正しく、この３Ｄ画像で示された建築物の実像を認識する助けをすることになる。この点も、図９の視認実験に示す。【００４２】  図３はマンションの構造を支える柱であり、各戸ごとの境界を区切る柱について、この外形形状をそのまま図５のように表現したとき、大きな柱部分が住戸内の様子を見るに当たって大きなインパクトを与え、視点が誘導されるという問題をさけ、柱の外形の輪部線をぼかすようにしたものである。【００４３】  柱の外形形状をぼかしたものが柱（３８）柱（４０）柱（４２）柱（４４）である。このように描くことによって、柱の大きさがぼかされ、その大きさ故に住戸内の様子を見るときにそこに印象が行くという問題が避けられている。この点についての視認実験についても図９にまとめた。【００４４】  図１は以上説明した図２から図４の補強ラインの付加や、柱の外形の輪部線のぼかしをすべて組み合わせたものであり、すべてを組み合わせて複合的な効果は、図９の視認実験でもより多くの人が、元の図５よりは、建築物の内容が、分かるという回答を出し確かめられた。【００４５】  図６は３Ｄ画像による従来の住戸内鳥瞰図で描いたパース画の一実施例であり、これは半透明の手法を使っていない。図７はこの図の鳥瞰視点側に補強ライン（５２）と補強ライン（５４）、そして視点が向こう側の補強ライン（５６）を入れたものである。これらの場合も、補強ラインの付加による建築物そのものへの意識集中等による効果が図１０の示した結果のように確認できた。【００４６】  本願発明で示した３Ｄ画像を用いたパース画は、図８のような作成工程を通して作成される。（５８）は２Ｄ（二次元）図面、（６２）は３Ｄ（三次元）画像作成工程、（６４）は鳥瞰図作成工程、（６６）は半透明等のバーチャル化処理、（６８）は視覚誘導処理、（６０）はコンピュータ、（７０）はコンピュータ（６０）で作成したパース画を印刷したり、電波情報や電子情報として転送する媒体移送である。【００４７】  建築物の描かれた２Ｄ（二次元）図面（５８）からデータを移し、３Ｄ（三次元）画像ソフトを使って３Ｄ作成工程（６２）で３Ｄ画像を作成する。１つの視点を定めて、この３Ｄ画像で鳥瞰図を作成するのが次の鳥瞰図作成工程（６４）である。この鳥瞰図を見ながら、壁や障子、襖などの空間仕切り部材を、その素材が分かるように半透明に表現するのがバーチャル処理工程（６６）である。このバーチャル処理した鳥瞰図に補強ラインやぼかし処理を行うのが視覚誘導処理（６８）であり、こうして作り上げたのが図１から図４に示したパース画である。これを印刷して、チラシや新聞、雑誌などの広告媒体や、ＴＶやインターネットなどの電波情報媒体やＤＶＤなどの電子情報媒体にするのが媒体移送工程（７０）である。【００４８】  図９は図８のようにして作成した本願パース画を本願による視覚誘導処理前と処理後の見え方を実際に２０人の視認実験をしたときの実験結果をまとめたものである。この実験にあたり、同処理前のパース画として図５のパース画を、処理後のパース画として図１、図２、図３、図４、を用いた。【００４９】  処理前の図５と処理後の図１、図２、図３、図４とをそれぞれ比較し、図５より処理後のパース画の方がより分かりやすかった人数と、どちらとも決めかねる判別不明の人数と、反対に図５の方が分かりやすかったという人数を記載した。実験結果に見るように、総合的な処理をした図１については１９人、そして図２、図３、図４については図表で見るような結果となった。また、図１０は本願パース画である図７とそのベースとなった図６とを比較したものである。視覚誘導処理前が図６、補強ラインを付加した処理後に当たるものが図７である。なお、この実験では多色カラー印刷したパース画を使って比較をした。【００５０】  以上、本願による実施例は、あくまで１実施例であり、例えば、マンションだけではなく、ホテルや医療施設、貸しビル、福祉施設などにも実施でき、本願で示した具体的な実施例に限定されるものではない。
【図面の簡単な説明】
【００５１】
【図１】は本発明の実施例のパース画である。
【図２】は本発明の実施例のパース画である。
【図３】は本発明の実施例のパース画である。
【図４】は本発明の実施例のパース画である。
【図５】は空間仕切部材を半透明にした住宅内鳥瞰図で、図１、図２、図３、図４のベースとなる。
【図６】は従来の住戸内鳥瞰図
【図７】は図６をベースにした本発明による１実施例のパース画である。
【図８】は本発明によるパース画の作成工程を説明するブロック図である。
【図９】は本発明によるパース画の分かりやすさを視認実験した結果をまとめた表
【図１０】は本発明によるパース画の分かりやすさを視認実験した結果をまとめた表
【符号の説明】
【００５２】  ３４，３６，４８，５２，５４，５６  ・・・・誘導する補強ライン  ３８，４０，４２，４４  ・・・・・・・柱の外形形状をぼかした柱
【図１】
2007025614.tif 000003
【図２】
2007025614.tif 000004
【図３】
2007025614.tif 000005
【図４】
2007025614.tif 000006
【図５】
2007025614.tif 000007
【図６】
2007025614.tif 000008
【図７】
2007025614.tif 000009
【図８】
2007025614.tif 000010
【図９】
2007025614.tif 000011
【図１０】
2007025614.tif 000012